【手続補正書】
【提出日】平成15年12月12日(2003.12.12)
【手続補正１】
【補正対象書類名】明細書
【補正対象項目名】発明の名称
【補正方法】変更
【補正の内容】
【発明の名称】撮像装置及び撮像方法及びプログラム及び記憶媒体


【手続補正２】
【補正対象書類名】明細書
【補正対象項目名】特許請求の範囲
【補正方法】変更
【補正の内容】
【特許請求の範囲】
【請求項１】
撮像素子と、前記撮像素子出力をＡ／Ｄ変換するＡ／Ｄ変換部と、前記Ａ／Ｄ変換部から得られるデジタル画像データを画像処理する画像処理部と、前記画像処理部において画像処理することにより前記デジタル画像データを出力画像データに変換するフォーマット変換部と、前記出力画像データを記録媒体に記録する画像記録部を有する撮像装置において、
前記画像処理部は、ホワイトバランス処理部、マトリクス演算処理部、３つの色信号パラメータを含む３次元ルックアップテーブル演算処理部を有し、前記画像処理演算部は前記デジタル画像データを前記３次元ルックアップテーブル演算処理部よりも先に前記マトリクス演算処理部により処理するように構成したことを特徴とする撮像装置。
【請求項２】
前記画像処理部は、前記ホワイトバランス処理部、前記マトリクス演算処理部、前記３次元ルックアップテーブル演算処理部の順に配置したことを特徴とする請求項１に記載の撮像装置。
【請求項３】
さらに、複数の色から構成される色フィルタを配置された前記撮像素子からの出力を補間する補間処理部を有し、前記補間処理部を前記３次元ルックアップテーブル演算処理部の前に配置したことを特徴とする請求項２に記載の撮像装置。
【請求項４】
前記マトリクス演算処理部は、光源の色温度に応じてマトリクス演算に用いる係数を変化させることを特徴とする請求項１乃至３のいずれか１項に記載の撮像装置。
【請求項５】
前記３次元ルックアップテーブル演算処理部は、３つの入力信号に対して、３つの出力信号を出力することを特徴とする請求項１乃至４のいずれか１項に記載の撮像装置。
【請求項６】
前記３次元ルックアップテーブル演算処理部は、Ｌ×Ｍ×Ｎ（Ｌ、Ｍ、Ｎは任意の整数）の格子点から構成された３次元ルックアップテーブルを含み、前記格子点の間のデータを補間演算により算出することを特徴とする請求項１乃至５のいずれか１項に記載の撮像装置。
【請求項７】
前記３次元ルックアップテーブル演算処理部は、入力された色信号の記憶色が考慮された色信号を格納していることを特徴とする１乃至６のいずれか１項に記載の撮像装置。
【請求項８】
撮像素子によって被写体の像を撮像する撮像工程と、前記撮像工程の出力をＡ／Ｄ変換するＡ／Ｄ変換処理工程と、前記Ａ／Ｄ変換処理工程により得られるデジタル画像データを画像処理する画像処理演算工程と、を有し、前記画像処理演算工程において画像処理演算することで出力画像データに変換する撮像方法において、
前記画像処理演算工程は、マトリクス演算処理工程と、３つの色信号パラメータを含む３次元ルックアップテーブル演算処理工程とを有し、前記デジタル画像データを前記３次元ルックアップテーブル演算処理工程よりも先に前記マトリクス演算処理工程により処理することを特徴とする撮像方法。
【請求項９】
前記マトリクス演算処理工程では、光源の色温度に応じてマトリクス演算に用いる係数を変化させることを特徴とする請求項８に記載の撮像方法。
【請求項１０】
前記３次元ルックアップテーブル演算処理工程では、３個の入力信号に対して、３個の出力信号を出力することを特徴とする請求項８又は９に記載の撮像方法。
【請求項１１】
前記画像処理演算工程は、更にホワイトバランス処理工程を有し、前記デジタル画像データは前記３次元ルックアップテーブル演算処理工程よりも先に前記ホワイトバランス演算処理工程において処理を行うことを特徴とする請求項８に記載の撮像方法。
【請求項１２】
前記画像処理工程は、前記ホワイトバランス処理工程、前記マトリクス演算処理工程、前記３次元ルックアップテーブル演算処理工程の順に処理を行うことを特徴とする請求項１１の撮像方法。
【請求項１３】
更に複数の色から構成される色フィルタを配置された前記撮像素子からの出力を補間する補間処理工程を有し、前記補間処理工程は前記３次元ルックアップテーブル演算処理工程の前に処理を行うことを特徴とする請求項８乃至１２のいずれか１項に記載の撮像方法。
【請求項１４】
前記３次元ルックアップテーブル演算処理工程では、入力された色信号の記憶色を考慮した色信号に変換することを特徴とする請求項８乃至１３のいずれか１項に記載の撮像方法。
【請求項１５】
前記３次元ルックアップテーブル演算処理工程では、Ｌ×Ｍ×Ｎ（Ｌ、Ｍ、Ｎは任意の整数）の格子点から構成された３次元ルックアップテーブルを含み、前記格子点の間のデータを補間演算により算出することを特徴とする請求項８に記載の撮像方法。
【請求項１６】
請求項８に記載の撮像方法をコンピュータに実行させるためのプログラム。
【請求項１７】
請求項１６に記載のプログラムをコンピュータ読み取り可能に記憶したことを特徴とする記憶媒体。
【手続補正３】
【補正対象書類名】明細書
【補正対象項目名】０００５
【補正方法】変更
【補正の内容】
【０００５】
【課題を解決するための手段】
上述した課題を解決し、目的を達成するために、本発明に係わる撮像装置は、撮像素子と、前記撮像素子出力をＡ／Ｄ変換するＡ／Ｄ変換部と、前記Ａ／Ｄ変換部から得られるデジタル画像データを画像処理する画像処理部と、前記画像処理部において画像処理することにより前記デジタル画像データを出力画像データに変換するフォーマット変換部と、前記出力画像データを記録媒体に記録する画像記録部を有する撮像装置において、前記画像処理部は、ホワイトバランス処理部、マトリクス演算処理部、３つの色信号パラメータを含む３次元ルックアップテーブル演算処理部を有し、前記画像処理演算部は前記デジタル画像データを前記３次元ルックアップテーブル演算処理部よりも先に前記マトリクス演算処理部により処理するように構成したことを特徴とする。


【手続補正４】
【補正対象書類名】明細書
【補正対象項目名】０００６
【補正方法】変更
【補正の内容】
【０００６】
また、この発明に係わる撮像装置において、前記画像処理部は、前記ホワイトバランス処理部、前記マトリクス演算処理部、前記３次元ルックアップテーブル演算処理部の順に配置したことを特徴とする。


【手続補正５】
【補正対象書類名】明細書
【補正対象項目名】０００７
【補正方法】変更
【補正の内容】
【０００７】
また、この発明に係わる撮像装置において、さらに、複数の色から構成される色フィルタを配置された前記撮像素子からの出力を補間する補間処理部を有し、前記補間処理部を前記３次元ルックアップテーブル演算処理部の前に配置したことを特徴とする。


【手続補正６】
【補正対象書類名】明細書
【補正対象項目名】０００８
【補正方法】変更
【補正の内容】
【０００８】
また、この発明に係わる撮像装置において、前記マトリクス演算処理部は、光源の色温度に応じてマトリクス演算に用いる係数を変化させることを特徴とする。


【手続補正７】
【補正対象書類名】明細書
【補正対象項目名】０００９
【補正方法】変更
【補正の内容】
【０００９】
また、この発明に係わる撮像装置において、前記３次元ルックアップテーブル演算処理部は、３つの入力信号に対して、３つの出力信号を出力することを特徴とする。


【手続補正８】
【補正対象書類名】明細書
【補正対象項目名】００１０
【補正方法】変更
【補正の内容】
【００１０】
また、この発明に係わる撮像装置において、前記３次元ルックアップテーブル演算処理部は、Ｌ×Ｍ×Ｎ（Ｌ、Ｍ、Ｎは任意の整数）の格子点から構成された３次元ルックアップテーブルを含み、前記格子点の間のデータを補間演算により算出することを特徴とする。


【手続補正９】
【補正対象書類名】明細書
【補正対象項目名】００１１
【補正方法】変更
【補正の内容】
【００１１】
また、この発明に係わる撮像装置において、前記３次元ルックアップテーブル演算処理部は、入力された色信号の記憶色が考慮された色信号を格納していることを特徴とする。


【手続補正１０】
【補正対象書類名】明細書
【補正対象項目名】００１２
【補正方法】変更
【補正の内容】
【００１２】
また、本発明に係わる撮像方法は、撮像素子によって被写体の像を撮像する撮像工程と、前記撮像工程の出力をＡ／Ｄ変換するＡ／Ｄ変換処理工程と、前記Ａ／Ｄ変換処理工程により得られるデジタル画像データを画像処理する画像処理演算工程と、を有し、前記画像処理演算工程において画像処理演算することで出力画像データに変換する撮像方法において、前記画像処理演算工程は、マトリクス演算処理工程と、３つの色信号パラメータを含む３次元ルックアップテーブル演算処理工程とを有し、前記デジタル画像データを前記３次元ルックアップテーブル演算処理工程よりも先に前記マトリクス演算処理工程により処理することを特徴とする。


【手続補正１１】
【補正対象書類名】明細書
【補正対象項目名】００１３
【補正方法】変更
【補正の内容】
【００１３】
また、この発明に係わる撮像方法において、前記マトリクス演算処理工程では、光源の色温度に応じてマトリクス演算に用いる係数を変化させることを特徴とする。


【手続補正１２】
【補正対象書類名】明細書
【補正対象項目名】００１４
【補正方法】変更
【補正の内容】
【００１４】
また、この発明に係わる撮像方法において、前記３次元ルックアップテーブル演算処理工程では、３個の入力信号に対して、３個の出力信号を出力することを特徴とする。
また、この発明に係わる撮像方法において、前記画像処理演算工程は、更にホワイトバランス処理工程を有し、前記デジタル画像データは前記３次元ルックアップテーブル演算処理工程よりも先に前記ホワイトバランス演算処理工程において処理を行うことを特徴とする。
また、この発明に係わる撮像方法において、前記画像処理工程は、前記ホワイトバランス処理工程、前記マトリクス演算処理工程、前記３次元ルックアップテーブル演算処理工程の順に処理を行うことを特徴とする。
また、この発明に係わる撮像方法において、更に複数の色から構成される色フィルタを配置された前記撮像素子からの出力を補間する補間処理工程を有し、前記補間処理工程は前記３次元ルックアップテーブル演算処理工程の前に処理を行うことを特徴とする。
また、この発明に係わる撮像方法において、前記３次元ルックアップテーブル演算処理工程では、入力された色信号の記憶色を考慮した色信号に変換することを特徴とする。
また、この発明に係わる撮像方法において、前記３次元ルックアップテーブル演算処理工程では、Ｌ×Ｍ×Ｎ（Ｌ、Ｍ、Ｎは任意の整数）の格子点から構成された３次元ルックアップテーブルを含み、前記格子点の間のデータを補間演算により算出することを特徴とする。
また、本発明に係わるプログラムは、上記の撮像方法をコンピュータに実行させることを特徴とする。
また、本発明に係わる記憶媒体は、上記のプログラムをコンピュータ読み取り可能に記憶したことを特徴とする。